(57)【要約】【課題】  閲覧画面の視認性と、閲覧作業の操作性の向上を図った閲覧装置および閲覧方法を提供する。【解決手段】  表示部５３の表示画面の選択画面５３ａに表示されたタイトルを表した複数のチャンネルタイトル表示領域（チャンネルカード）５６ｂから１つを選択すると、そのチャンネルカード５６ｂの表示内容がタイトル、要約、発行日に切り替わり、詳細画面５３ｂにタイトル５８ｂ、テキスト５８ｃ、画像５８ｄからなる本文が表示される。【選択図】      図３
2006004256.tif 000002
【特許請求の範囲】
【請求項１】
検索対象の識別情報を表したカード形状の複数の選択ボタンを表示する画面部と、
前記選択ボタンを選択する選択部と、
選択された前記選択ボタンに対応する前記検索対象を前記画面部に表示する表示制御部とを備えたことを特徴とする閲覧装置。
【請求項２】
前記検索対象は、電子文書であり、
前記識別情報は、前記電子文書のタイトルであることを特徴とする請求項１記載の閲覧装置。
【請求項３】
前記検索対象は、画像を含む電子文書であり、
前記識別情報は、前記電子文書に含まれる前記画像のうち代表となる画像であることを特徴とする請求項１記載の閲覧装置。
【請求項４】
前記検索対象は、画像を含む電子文書であり、
前記識別情報は、前記電子文書のタイトル、および前記電子文書に含まれる前記画像のうち代表となる画像であることを特徴とする請求項１記載の閲覧装置。
【請求項５】
前記識別情報は、前記選択ボタンの表示面積の１／２以下の領域に判読可能に表示されたことを特徴とする請求項１記載の閲覧装置。
【請求項６】
前記選択ボタンは、矩形状を有し、その縦横比を１：３〜３：１の範囲とすることを特徴とする請求項１記載の閲覧装置。
【請求項７】
前記画面部は、前記複数の選択ボタンを格子状に配置して表示することを特徴とする請求項１記載の閲覧装置。
【請求項８】
前記表示制御部は、選択された前記検索対象の要約を前記識別情報に代えてあるいは前記識別情報とともに対応する前記選択ボタン内に表示することを特徴とする請求項１記載の閲覧装置。
【請求項９】
前記表示制御部は、選択された前記検索対象を前記識別情報に代えてあるいは前記識別情報とともに対応する前記選択ボタン内に表示することを特徴とする請求項１記載の閲覧装置。
【請求項１０】
前記検索対象は、電子文書であり、前記識別情報は、前記電子文書のタイトルであり、
前記表示制御部は、選択された前記電子文書のタイトル、要約および配信日付を前記タイトルに代えて対応する前記選択ボタン内に表示することを特徴とする請求項１記載の閲覧装置。
【請求項１１】
前記表示制御部は、選択された前記検索対象を前記選択ボタンとは異なる領域、あるいは別ウィンドウに表示することを特徴とする請求項１記載の閲覧装置。
【請求項１２】
前記表示制御部は、選択された前記選択ボタンあるいはその表示内容を選択されていない前記選択ボタンあるいはその表示内容とは異なる態様で表示することを特徴とする請求項１記載の閲覧装置。
【請求項１３】
前記表示制御部は、前記画面部の表示画面を２つの分割し、一方に前記複数の選択ボタンを表示し、他方に選択された前記検索対象を表示することを特徴とする請求項１記載の閲覧装置。
【請求項１４】
前記選択部は、前記画面部の上に重畳して配置された透明タッチパネルであることを特徴とする請求項１記載の閲覧装置。
【請求項１５】
検索対象の識別情報を表したカード形状の複数の選択ボタンを画面部に表示し、
前記複数の選択ボタンの中から１つの前記選択ボタンを選択し、
選択された前記選択ボタンに対応する検索対象を前記画面部に表示することを特徴とする閲覧方法。
【発明の詳細な説明】
【技術分野】
【０００１】
本発明は、電子文書等の検索対象の配信元から配信される電子文書等の検索対象の閲覧に好適な閲覧装置および閲覧方法に関し、特に、閲覧画面の視認性と、閲覧作業の操作性の向上を図った閲覧装置および閲覧方法に関する。
【背景技術】
【０００２】
近年インターネットによる電子文書配信が発達し、日々様々な「ウェブサイト」と呼ばれる電子文書配信元から多くの電子文書が配信されている。
【０００３】
利用者は、電子文書閲覧ソフトウェア（インターネットブラウザ）を使用して、自分の興味があるウェブサイトに一つ一つ接続し、電子文書を受信する必要があるため、新着文書の有無にかかわらず、毎日煩雑な作業を繰り返すことになっている。
【０００４】
これらの煩雑な作業を軽減することを目的として、ＲＳＳ(Resource Description Framework Site Summary)リーダーと呼ばれる電子文書閲覧ソフトウェアが開発され、利用者に普及し始めている（例えば、非特許文献参照）。
【０００５】
ＲＳＳリーダーは、電子文書のタイトル、要約、配信日付、コンテンツＩＤ(URL)等で構造化されたファイルをウェブサイトから受信し、ウェブサイト名、タイトル名、コンテンツ等を表示、操作するソフトウェアである。
【０００６】
図２７および図２８は、ＲＳＳリーダーによる表示画面の構造を示し、図２７は、２ペイン構造による表示画面の一例を示す図、図２８は、３ペイン構造による表示画面の一例を示す図である。
【０００７】
図２７に示す２ペイン構造による表示画面５００は、チャンネル・タイトル表示領域５１０と、コンテンツ表示領域５２０とからなる。チャンネル・タイトル表示領域５１０には、チャンネル５１１毎に複数のタイトル５１２がツリー形式で表示される。コンテンツ表示領域５２０には、チャンネル・タイトル表示領域５１０に表示されている複数のタイトル５１２のうち選択された１つのタイトル（同図中斜線で示す）５１２に対応するテキスト５２１および画像５２２からなるコンテンツが表示される。
【０００８】
図２８に示す３ペイン構造による表示画面５００は、チャンネル表示領域５３０と、タイトル表示領域５４０と、コンテンツ表示領域５２０とからなる。チャンネル表示領域５３０には、チャンネル分類毎に複数のチャンネル５１１がツリー形式で表示される。タイトル表示領域５４０には、チャンネル表示領域５３０に表示されている複数のチャンネル５１１のうち選択された１つのチャンネル（同図中斜線で示す）５１１に対応する複数のタイトルが表示される。コンテンツ表示領域５２０には、タイトル表示領域５４０に表示されている複数のタイトル５１２のうち選択された１つのタイトル（同図中斜線で示す）５１２に対応するテキスト５２１および画像５２２からなるコンテンツが表示される。
【非特許文献１】ソフトバンク・アイティメディア株式会社、「ＲＳＳリーダー総まくり――国産ツール編」、［online］、［平成１６年６月１日検索］、インターネット＜ＵＲＬ：http://www.itmedia.co.jp/news/0311/28/nj00_rss02.html＞
【発明の開示】
【発明が解決しようとする課題】
【０００９】
しかし、従来のＲＳＳリーダーによる表示画面は、図２７に示す２ペイン構造の場合、タイトルの文章がすべて表示できないため、タイトルが選択しにくい。また、図２８に示す３ペイン構造の場合、タイトルの文章がすべて表示されるが、タイトルが狭い領域に表示されているため、見にくく、タイトルが選択しにくい。また、コンテンツ表示領域が狭いため、コンテンツが見にくい。このような問題は、パソコンの入力方法として指で扱うタッチパネルやマウスでの細かい操作に利用者が慣れていない場合に、特に顕著に現れる。
【００１０】
従って、本発明の目的は、閲覧画面の視認性と、閲覧作業の操作性の向上を図った閲覧装置および閲覧方法を提供することにある。
【課題を解決するための手段】
【００１１】
第１の発明は、上記目的を達成するため、検索対象の識別情報を表したカード形状の複数の選択ボタンを表示する画面部と、前記選択ボタンを選択する選択部と、選択された前記選択ボタンに対応する前記検索対象を前記画面部に表示する表示制御部とを備えたことを特徴とする閲覧装置を提供する。
【００１２】
第２の発明は、上記目的を達成するため、検索対象の識別情報を表したカード形状の複数の選択ボタンを画面部に表示し、前記複数の選択ボタンの中から１つの前記選択ボタンを選択し、選択された前記選択ボタンに対応する検索対象を前記画面部に表示することを特徴とする閲覧方法を提供する。
【００１３】
上記第１および第２の発明によれば、選択ボタンの形状をカード形状とすることにより、検索対象の識別情報の認識が容易となる。検索対象には、電子文書、写真等の画像、画像を含む電子文書等が含まれる。識別情報には、電子文書のタイトル、要約、配信日時等の文字の他、図形、記号、画像等が含まれる。カード形状には、矩形状、円形状、楕円形状、三角形等が含まれる。
【発明の効果】
【００１４】
本発明の閲覧装置および閲覧方法によれば、選択ボタンの形状をカード形状とすることにより、検索対象の識別情報の認識が容易となり、閲覧画面の視認性と、閲覧作業の操作性の向上を図ることができる。
【発明を実施するための最良の形態】
【００１５】
［第１の実施の形態］
図１は、本発明の第１の実施の形態に係る閲覧システムを示す斜視図である。この閲覧システムは、電子文書を配信する電子文書配信サーバ２０にインターネット，ＬＡＮ(Local Area Network)等のネットワーク２１を介して電子文書を取得し、閲覧に供する閲覧装置としての電子文書表示装置５０を接続したものである。
【００１６】
電子文書表示装置５０は、ネットワーク２１を介して電子文書配信サーバ２０と通信する通信部５１と、この装置５０の各部を制御する制御部５２と、ＬＣＤ（液晶ディスプレイ）等の表示部５３と、キーボード，マウス等からなる入力部５４と、電子文書配信サーバ２０から配信された配信サイトデータを記憶する記憶部５５とを備え、例えば、パーソナルコンピュータ（ＰＣ）によって実現することができる。
【００１７】
記憶部５５には、チャンネルＩＤを記憶する受信チャンネル設定テーブル５５ａ、表示した本文の文書ＩＤを履歴情報として記憶する本文表示履歴テーブル５５ｂ、チャンネルタイトル，チャンネルＩＤ，要約，表示日時等のチャンネルデータを記憶するチャンネルテーブル５５ｃ、チャンネルタイトル，タイトル，文書ＩＤ，要約，発行日時等の文書データを記憶する文書テーブル５５ｄが設けられている。
【００１８】
なお、入力部５４として表示部５３の画面の前面に、抵抗膜方式（感圧方式），電磁誘導方式、静電結合方式、超音波表面弾性波方式、赤外線遮光方式等のタッチパネルを配置してもよい。これにより、選択の操作性を向上させることができる。
【００１９】
図２は、配信サイトデータの一例を示す。電子文書配信サーバ２０は、電子文書表示装置５０からの要求に応じて、図２に示すような配信サイトデータ、および電子文書をネットワーク２１を介して電子文書表示装置５０に配信するものである。配信サイトデータには、電子文書のタイトル、要約、発行日時（配信日時）、文書ＩＤ等が含まれる。
【００２０】
図３は、表示部５３の表示画面の表示例を示す。この表示画面の右側に選択画面５３ａ
、左側に詳細画面５３ｂが表示されるようになっている。選択画面５３ａには、中央にチャンネル名を表示するチャンネルタイトル表示領域（チャンネルカード）５６ｂを配置し、その周囲にタイトル全文を表示する選択ボタンとしての文書タイトル表示領域（タイトルカード）５６ａを格子状に配置し、下側にチャンネル切替ボタン５７ａおよび次のタイトルへボタン５７ｂを表示している。詳細画面５３ｂには、タイトル５８ｂ、テキスト５８ｃ、画像５８ｄからなる本文表示領域５８ａを配置し、本文表示領域５８ａの下側に前へボタン５７ｃを表示している。
【００２１】
タイトルカード５６ａは、このカード５６ａを選択すると、カード５６ａ内の表示を付加情報（要約、発行日など）に切り替え、本文を詳細画面５３ｂに表示する。チャンネルカード５６ｂは、このカード５６ｂを選択すると、カード５６ｂ内の表示を付加情報（説明、発行日など）に切り替える。タイトルカード５６ａおよびチャンネルカード５６ｂは、チャンネル名やタイトルをカード５６ａ，５６ｂの面積の１／２以下の領域に判読可能に表示し、好ましくは中央に縦の１／５以下の領域に横書きで表示する。また、タイトルカード５６ａのサイズは、縦横比を１：３〜３：１の範囲とし、好ましくは４：３とする。これにより、タイトルが見やすくなる。
【００２２】
また、選択したタイトルカード５６ｂ以外のタイトルカード５６ｂは、タイトル表示の前景色と背景色を反転し、選択したカード５６ｂを強調する。なお、カード５６ｂの輪郭の太さ、線種、色等を変えて強調してもよく、カードの背景の色、模様等を変えて強調してもよい。また、文字のフォント，サイズ等を変えて強調してもよい。
【００２３】
チャンネル切替ボタン５７ａは、このボタン５７ａを選択すると、次のチャンネル（チャンネル２のタイトル１からタイトル８）に表示に切り替わる。次のタイトルへボタン５７ｂは、このボタン５７ｂを選択すると、次のタイトル（タイトル９からタイトル１６）に表示に切り替わる。前へボタン５７ｃは、このボタン５７ｃを押すと、ひとつ前の本文に表示に切り替わる。
【００２４】
（閲覧システムの動作）
次に、閲覧システムの動作を、図４〜図７を参照し、図８および図９のフローチャートに従って説明する。図４は、受信チャンネル設定テーブル、図５は、本文表示履歴テーブル、図６は、チャンネルテーブル、図７は、文書テーブルをそれぞれ示す。図８は、装置側の表示処理を示すフロー、図９は、利用者の操作手順を示すフローである。
【００２５】
まず、図８の装置側の表示処理を示すフローに従って説明する。なお、以下の説明では、特に記述がない限り、制御部５２が行うものとする。利用者が入力部５４を操作して電子文書の閲覧要求を行うと、制御部５２は、電子文書表示装置５０の記憶部５５内の受信チャンネル設定テーブル５５ａから配信サイトデータ５８を取得する（Ｓ３１）。続いて制御部５２は、配信サイトデータ５８に基づいて通信部５１によりネットワーク２１を介して電子文書配信サーバ２０にアクセスし、電子文書配信サーバ２０からチャンネルデータ、文書データを受信し、図６、図７に示すように、記憶部５５内のチャンネルテーブル５５ｃ、文書テーブル５５ｄにそれぞれデータを格納する（Ｓ３２）。
【００２６】
図６に示すチャンネルテーブル５５ｃから現在表示フラグがOFF(False)のレコードを１件読み取り、現在表示フラグをON(True)にして、図３に示すように、表示部５３の選択画面５３ａのチャンネルタイトル表示領域５６ｂにチャンネルタイトルの内容を表示し、他のレコードの現在表示フラグをOFF(False)にする（Ｓ３３）。図７に示す文書テーブル５５ｄから同じチャンネルで現在表示フラグがOFF(False)のレコードを１件ずつ読み取り、現在表示フラグをON(True)にして、設定された数の文書タイトル表示領域５６ａに文書タイトルの内容を１つずつ表示し、他のレコードの現在表示フラグをOFFにする（Ｓ３４）。このようにして、図３に示す選択画面５３ａが表示部５３に表示される。
【００２７】
制御部５２は、利用者がタイトルカード５６ａまたはボタン５７ａ〜５７ｃを選択するのを監視する（Ｓ３５）。すなわち、利用者がタイトルカード５６ａを選択すると（Ｓ３６）、選択された文書タイトルについて、文書テーブル５５ｄから要約、発行日時を読取り、それらに表示を切替え（Ｓ３７）、選択された文書タイトル以外の文書タイトルの表示の前景色と背景色を反転した表示に切替え（Ｓ３８）、選択された文書タイトルについて、文書テーブル５５ｄから文書ＩＤを読取り、電子文書配信サーバ２０から文書ＩＤに対応する本文データを受信し、詳細画面５３ｂの本文表示領域５８ａに内容を表示する（Ｓ３９）。
【００２８】
上記ステップＳ３６において、利用者がタイトルカード５６ａを選択せず、次のタイトルへボタン５７ｂを選択すると（Ｓ４０）、上記ステップＳ３４に戻る。
【００２９】
上記ステップＳ４０において、利用者が次のタイトルへボタン５７ｂを選択せず、チャンネル切替ボタン５７ａを選択すると（Ｓ４１）、上記ステップＳ３３に戻る。
【００３０】
上記ステップＳ４１において、利用者がチャンネル切替ボタン５７ａを選択せず、前へボタン５７ｃを選択した場合は（Ｓ４２）、本文表示履歴テーブル５５ｂから一件前のレコードを読取り、一時保管した記憶部５５から文書ＩＤの本文を読取り、本文表示領域５８ａに表示する（Ｓ４３）。
【００３１】
上記ステップＳ４２において、利用者が前へボタン５７ｃを選択せず、図示しない終了ボタンを選択すると（Ｓ４４）、表示処理は終了する。
【００３２】
次に、図９の利用者の操作手順を示すフローに従って説明する。利用者は、表示部５３の選択画面５３ａに表示されているタイトルカード５６ａ内のタイトルを閲覧する（Ｓ５１）。興味あるタイトルカード５６ａがある場合は（Ｓ５２）、興味あるタイトルカード５６ａを入力部５４を用いて選択する（Ｓ５３）。制御部５２は、その選択されたタイトルカード５６ａ内の表示を付帯情報（要約、発行日付など）に切り替え、その本文を詳細画面５３ｂに表示する。利用者は、タイトルカード５６ａ内に表示された付帯情報（要約、発行日付など）を読む（Ｓ５４）。
【００３３】
利用者は、さらに本文を読みたい場合は（Ｓ５５）、詳細画面５３ｂに表示されている本文上のテキスト５８ｃ、画像５８ｄを読む（Ｓ５６）。別のタイトルを読みたい場合は（Ｓ５７）、再び選択画面５３ａに表示されているタイトルカード５６ａ内のタイトルを閲覧する（Ｓ５１）。
【００３４】
上記ステップＳ５２において、興味があるタイトルカード５６ａがない場合は、チャンネル内の全タイトルに興味があるか確認し（Ｓ５８）、興味があるタイトルがない場合は（Ｓ５９）、次のタイトルヘボタン５７ｂを押し（Ｓ５９）、再び選択画面５３ａに表示されているタイトルカード５６ａ内のタイトルを閲覧する（Ｓ５１）。
【００３５】
チャンネル内の全タイトルに興味がなく、全チャンネルの全タイトルに興味があるかを確認し（Ｓ６０）、興味があるタイトルがない場合は、チャンネル切替ボタン５７ａを押すと（Ｓ６１）、再び選択画面５３ａに表示されているタイトルカード５６ａ内のタイトルを閲覧する（Ｓ５１）。全チャンネルの全タイトルに興味がない場合は、利用者の操作手順はここで終了する。
【００３６】
（第１の実施の形態の効果）
この第１の実施の形態によれば、以下の効果が得られる。
（イ）文書タイトル表示領域（タイトルカード）５６ａにタイトル全文が表示されるので、タイトルが選択しやすくなり、閲覧作業の操作性が向上する。
（ロ）タイトルカード５６ａをカード形状としたので、タイトルが読みやすくなり、閲覧画面の視認性が向上する。
（ハ）本文の表示領域が広いので、閲覧画面の視認性が向上する。
【００３７】
なお、上記実施の形態では、文書タイトル表示領域５６ａには、選択された後、付加情報を文字のみで表示したが、本文中に表示される画像５８ｄのうち代表となる画像（代表画像）を同一サイズで、あるいは縮小あるいは拡大して表示してもよい。これにより、興味ある対象か否かの判断が容易となる。
【００３８】
［第２の実施の形態］
図１０は、本発明の第２の実施の形態に係る電子ペーパーシステムを示す斜視図である。この電子ペーパーシステムは、表示記録媒体としての光書込み型の電子ペーパー１００Ａと、この電子ペーパー１００Ａに画像情報および画像情報の管理情報を書き込む画像書込装置１とを有して構成されている。
【００３９】
ここで、「管理情報」には、利用者の属性情報、電子ペーパーの属性情報、画像の属性情報等が含まれる。これらの属性情報には、下記の情報が含まれるが、管理情報はこれらの分類に限るものではない。
（１）利用者の属性情報には、当該システムを利用するユーザーのＩＤ，氏名，性別，年齢，住所、選択したコンテンツを入手する権利の有無情報、選択したコンテンツを入手する際の課金情報等が含まれる。
（２）電子ペーパーの属性情報には、電子ペーパーＩＤ、温度，湿度等の電子ペーパーの使用環境の情報、緯度，経度，高度等の電子ペーパーの使用位置情報、電子ペーパーの書換え回数等の使用履歴情報等が含まれる。
（３）画像の属性情報には、書込み画像の出所源情報、書込み画像の出所源へのリンク情報、選択した文書が格納されているファイルパス情報や文書ＩＤ、ＩＳＢＮ(International Standard Book Number)等の書籍ＩＤ、情報を閲覧した時間，場所情報等が含まれる。
【００４０】
（画像書込装置の全体構成）
画像書込装置１は、２つの略箱型状の第１および第２の筐体２Ａ，２Ｂと、これの筐体２Ａ，２Ｂの上面にそれぞれ設けられた第１および第２の画面部３Ａ，３Ｂと、第１および第２の筐体２Ａ，２Ｂ内にそれぞれ設けられ、画面部３Ａ，３Ｂにミラー５Ａ，５Ｂを介して画像光４０を投影する第１および第２のプロジェクタ４Ａ，４Ｂと、第１の筐体２Ａ内に設けられた後述するコントローラユニットにケーブル７によって接続され、操作により押下信号（書込み指令信号）を出力する操作ボタン１３を備え、電子ペーパー１００Ａに電圧を印加するコネクタ１０Ａと、コントローラユニットおよびプロジェクタ４Ａ，４Ｂを制御するパーソナルコンピュータ（ＰＣ）８とを有する。
【００４１】
なお、画面部３（３Ａ，３Ｂ）の数は上記の２つに限定されず、１つでも３つ以上でもよい。また、コントローラユニットは、画面部３毎に設けてもよい。また、コネクタ１０Ａは、画面部３毎に設けてもよい。コネクタ１０Ａを画面部３毎に設けることにより、画像の写しとり操作を効率的に行うこと可能となる。
【００４２】
（光書込み型の電子ペーパーの構成）
図１１は、光書込み型の電子ペーパー１００Ａの平面図である。この光書込み型の電子ペーパー１００Ａは、薄型矩形状を有し、表面１００ａに画像表示記録領域１１０が設けられ、その周辺領域１１１に管理情報記録領域としてのＩＣチップ１２０ａおよびアンテナ（図示せず）からなるＲＦＩＤタグ１２０が設けられ、裏面１００ｂに一対の受電端子１０７Ａ，１０７Ｂが設けられている。
【００４３】
なお、ＲＦＩＤタグ１２０の代わりに、接触式のＩＣカードまたはＩＣラベルを用いてもよい。また、電子ペーパーの管理情報の記録領域への記録方式に応じて光学的、磁気的又は熱的に管理情報を読み書きしてもよい。
【００４４】
図１２は、図１１のＡーＡ線断面図である。この光書込み型電子ペーパー１００Ａは、対向配置された透明のＰＥＴ（ポリエチレンテレフタレート）フィルムからなる一対の基板１０１Ａ，１０１Ｂと、これらの内側に設けられたＩＴＯ（インジウム錫酸化物）からなる一対の透明電極１０２Ａ，１０２Ｂと、表面１００ａ側の透明電極１０２Ａの内側に設けられ、印加電圧に応じて反射率（透過率）が変化するメモリ性を有する液晶、例えば、コレステリック液晶からなる液晶層１０３と、液晶層１０３の内側に設けられた光吸収層１０４と、光吸収層１０４と裏面１００ｂ側の透明電極１０２Ｂとの間に設けられ、画像光４０の照射によって抵抗値が小さくなる光導電層１０５と、透明電極１０２Ａに一端が接続された延在部１０６とを備えて構成されている。
【００４５】
上記コレステリック液晶は、マイクロカプセル中に封入され、樹脂バインダー中に分散した構成を採用することができる。この構成を採用した場合は、表示層の流動性を制限しつつ、機械的な強度が高まるので、外部からの圧力や屈曲などの応力に対しても表示画像が変化しにくいという利点がある。
【００４６】
裏面１００ｂ側の基板１０１Ｂには、一対の開口１０８ａ，１０８ｂが設けられ、一方の開口１０８ａの延在部１０６上に受電端子１０７Ａが設けられ、他方の開口１０８ｂの透明電極１０２Ｂ上に受電端子１０７Ｂが設けられている。
【００４７】
光導電層１０５は、２つの電荷発生層１０５ａ，１０５ｃと、これらの間に設けられた電荷輸送層１０５ｂとから構成されている。電荷輸送層１０５ｂの両側に電荷発生層１０５ａ，１０５ｃを積層した構成とすることにより、液晶層１０３への交流電圧の印加が可能となり、液晶層１０３の劣化を抑えることができ、駆動電圧の低電圧化、電子ペーパー１００Ａの高寿命化を実現することができる。
【００４８】
（光書込み型電子ペーパーへの書込み動作）
ここで、電子ペーパー１００Ａへの画像の書込み動作について説明する。一対の受電端子１０７Ａ，１０７Ｂを介して一対の透明電極１０２Ａ，１０２Ｂ間にパルス電圧を印加するとともに、画像光４０を裏面１００ｂに照射すると、その画像光４０は、基板１０１Ｂおよび透明電極１０２Ｂを通して光導電層１０５に照射される。光導電層１０５は、画像光４０の照射によって抵抗値が小さくなり、それにより光導電層１０５とのインピーダンス比で決まる液晶層１０３の分圧が増加し、一定以上の閾値を越えた電圧が印加された後、液晶層１０３における光反射率が大きい状態で保持される。
【００４９】
従って、電子ペーパー１００Ａを表面１００ａから見た場合、画像光４０が照射された領域は、照明光を受けて液晶層１０３で反射し、表示光として白く見える。逆に、画像光４０が照射されていない領域は、光導電層１０５の抵抗値が大きくなり、液晶層１０３には閾値を越えない電圧が印加された後、液晶層１０３は光を透過する状態で保持される。この液晶層１０３を通過した光は、光吸収層１０４で吸収されるため、画像光４０が照射されていない領域は、黒く見える。
【００５０】
この電子ペーパー１００Ａは、画像光４０の照射方向と、画像を見る方向が逆になっているので、ユーザーは、電子ペーパー１００Ａを裏返しにすることなく、電子ペーパー１００Ａの表面１００ａをＥ方向から見れば、直ちに画像内容を確認することができる。
【００５１】
（コネクタの構成）
図１３は、コネクタ１０Ａを示し、（ａ）は平面図、（ｂ）は（ａ）のＢ−Ｂ線断面図である。このコネクタ１０Ａは、コ字状のケース１１と、電子ペーパー１００Ａの当接面１２ａ，１２ｂを有する装着口１２と、ケース１１の表面から出没可能に設けられ、表面側に緑色を発光するＬＥＤランプ１３ａを埋設した操作ボタン１３と、ＲＦＩＤタグ１２０のＩＤチップ１２０ａに対して管理情報の読取りおよび書込みを行うリーダライタ１４と、装着口１２に露出し、装着口１２に装着された電子ペーパー１００Ａの受電端子１０７Ａ，１０７Ｂにパルス電圧を印加する給電端子１５Ａ，１５Ｂと、装着口１２の給電端子１５Ａ，１５Ｂに対向する位置に設けられ、装着口１２に装着された電子ペーパー１００Ａを給電端子１５Ａ，１５Ｂ側に押圧する押圧ばね１６Ａ，１６Ｂとを備え、電子ペーパー１００Ａに装着するときは、同図矢印で示す方向に装着される。この時、電子ペーパー１００Ａがコネクタ１０Ａ内部の所定の突き当て箇所まで挿入されると、突き当て位置に設けられたリミットスイッチ１９のレバーを電子ペーパー１００Ａの端部が押すことになり、スイッチＯＮの状態になると、前述した操作ボタン１３内のＬＥＤランプ１３ａが点灯するしくみになっている。この構成の採用により、電子ペーパー１００Ａへの電圧印加前に、電子ペーパー１００Ａとコネクタ１０Ａの電極端子間の位置が適切であることが一目で確認できるようになっている。
【００５２】
（電子ペーパーシステムの制御系）
図１４は、電子ペーパーシステムの制御系を示すブロック図である。この電子ペーパーシステムは、ＰＣ８にコントローラユニット６およびプロジェクタ４Ａ，４Ｂが接続され、コントローラユニット６に画面部３Ａ，３Ｂおよびコネクタ１０Ａが接続されている。コネクタ１０Ａの操作ボタン１３、リーダライタ１４および給電端子１５Ａ，１５Ｂは、前述したようにケーブル７によってコントローラユニット６に接続されている。
【００５３】
（画面部の構成）
第１の画面部３Ａは、図１４に示すように、透明の第１のタッチパネル３０Ａと第１のスクリーン３１Ａを積層して構成され、第１のタッチパネル３０Ａが表面側となるように配置されている。第２の画面部３Ｂも、第１の画面部３Ａと同様に、透明の第２のタッチパネル３０Ｂと第２のスクリーン３１Ｂを積層して構成され、第２のタッチパネル３０Ｂが表面側となるように配置されている。
【００５４】
第１および第２のタッチパネル３０Ａ，３０Ｂは、例えば、抵抗膜方式（感圧方式）のものを用いるが、電磁誘導方式、静電結合方式、超音波表面弾性波方式、赤外線遮光方式等を用いてもよい。
【００５５】
第１および第２のスクリーン３１Ａ，３１Ｂは、電圧を印加しない場合は光散乱状態となっており、電圧の印加によって光透過状態となるものであり、ポリマー中にネマティック液晶層をドロップ状に分散させ、これを透明電極を有する一対のフィルム基板で挟持したフィルム（例えば、日本板硝子ウムプロダクツ社のウムフィルム）を用いることができる。
【００５６】
（コントローラユニットの構成）
コントローラユニット６は、コネクタ１０Ａの操作ボタン１３からの押下信号を受け付けるとともに、リーダライタ１４との間で管理情報を送受信するコネクタコントローラ６０と、電子ペーパー１００Ａの受電端子１０７Ａ，１０７Ｂに給電端子１５Ａ，１５Ｂを介してパルス電圧を印加する電圧印加部６１と、第１および第２のタッチパネル３０Ａ，３０Ｂの座標位置を入力するタッチパネルコントローラ６２と、第１および第２のスクリーン３１Ａ，３１Ｂを光散乱状態と光透過状態との間で切り換えるスクリーンコントローラ６３とを備える。
【００５７】
（ＰＣの構成）
ＰＣ８は、ＰＣ８内部および電子ペーパーシステム全体を制御するＣＰＵ８０を有し、このＣＰＵ８０に、キーボード、マウス等の入力部８１と、液晶ディスプレイ等の表示部８２と、画面作成プログラム８３ａ等のＣＰＵ８０の動作プログラムを記憶するＲＯＭ８３と、データを一時記憶するＲＡＭ８４と、画像８５ａおよび管理情報８５ｂ等を記憶するＨＤＤ８５と、ＬＡＮ(Local Area Network)あるいはインターネット上の外部のサーバやＰＣ等と通信を行う通信部８６とを接続している。
【００５８】
（電子ペーパーシステムの動作）
次に、電子ペーパーシステムの動作を、画面部３Ａ，３Ｂの表示例を示す図１５〜図１８を参照し、図１９のフローチャートに従って説明する。
【００５９】
画像書込装置１の電源を投入すると、ＰＣ８のＣＰＵ８０は、ＨＤＤ８５から選択画面を読み出し、その画像信号を第１のプロジェクタ４Ａに送信する。第１のプロジェクタ４Ａは、ＣＰＵ８０からの画像信号に基づいて選択画面の画像光をミラー５Ａを介して第１の画面部３Ａに投影する（Ｓ１）。
【００６０】
図１５は、その第１の画面部３Ａに表示された選択画面の一例を示す。この選択画面２００には、中央に「○○プレスリリース」の如くチャンネル表示画像２０１を表示し、その周囲にタイトルＴ1〜Ｔ8を表示した電子ペーパー１００Ａの画像表示記録領域１１０とほぼ等しい大きさを有する８枚のトピックスボタン２０２をマトリックス状に表示し、下側にチャンネル切替キー２０３およびトピック切替キー２０４を表示している。
【００６１】
この段階では、第１の画面部３Ａの第１のスクリーン３１Ａには電圧は印加されておらず、第１のスクリーン３１Ａは光散乱状態になっており、第１のスクリーン３１Ａに投影された選択画面２００は、広い視野角で第１のタッチパネル３０を通して見ることができる。また、チャンネル表示画像２０１およびトピックスボタン２０２は、背景の色を黒、文字の色を白にして第１のスクリーン３１Ａの全面が光透過状態になっても、眩しくないようにしている。
【００６２】
チャンネル切替キー２０３は、これを手指で押下すると、現在表示されているチャンネルから他のチャンネルに表示内容が切り替わるものであり、トピック切替キー２０４は、これを手指で押下すると、現在表示されているチャンネルに属する他のトピックスボタンが表示される。
【００６３】
ユーザーは、選択画面２００のうち一つのトピックスボタン（例えば、図１５中斜線を施した部分）２０２をタッチしてタイトルＴ4を選択したとする（Ｓ２）。
【００６４】
タッチパネルコントローラ６２は、その座標情報をＣＰＵ８０に送信する。ＣＰＵ８０は、タッチパネルコントローラ６２から送信された座標情報に基づいてタイトルＴ4に対応する要約Ａ4の要約画像２０５、および詳細画面をＨＤＤ８５から読み出し、画面作成プログラム８３ａに基づいてＲＡＭ８４上でタイトルＴ4のトピックスボタン２０２の代りに要約Ａ4の要約画像２０５を嵌め込んだ画面を作成し、その画像光４０を第１のプロジェクタ４から第１のスクリーン３１Ａに投影させる。続いてＣＰＵ８０は、第２のプロジェクタ４Ｂから詳細画面の画像光４０を第２の画面部３Ｂに投影させる（Ｓ３）。
【００６５】
図１６は、その第２の画面部３Ｂに表示された詳細画面、および第１の画面部３Ａに表示された選択画面の一例を示す。この詳細画面２１０には、タイトルＴ4のトピック画像２０２ａ、イメージ２１１、テキスト２１２、日付２１５等を用いてニュースの詳細が表示される。選択されて表示された要約画像２０５は、通常の紙のように背景の色が白、文字の色が黒にしている。ここで、他のトピックスボタン２０２を押下した場合は、そのトピックスボタン２０２は対応する要約画像２０５に切り替わり、第２の画面部３Ｂは、それに対応する詳細画面となる。このとき、それまで表示していた要約画像２０５は、トピックスボタン２０２に戻してもよい。
【００６６】
ユーザーは、第１および第２の画面部３Ａ，３Ｂに投影された画面のうち画像を電子ペーパー１００Ａに写しとる場合は、電子ペーパー１００Ａをコネクタ１０Ａの装着口１２に装着し（Ｓ４）、図１および図４（ａ）に示すように、電子ペーパー１００Ａの短辺および長辺の側面を装着口１２の当接面１２ａ，１２ｂにそれぞれ当接する。所定の当接位置に電子ペーパー１００Ａが配置されると、リミットスイッチ１９がＯＮＬ、操作ボタン１３に埋設されたＬＥＤランプ１３Ａが緑色に点灯する。この状態では、コネクタ１０Ａの給電端子１５Ａ，１５Ｂは電子ペーパー１００Ａの受電端子１０７Ａ，１０７Ｂに接触している。
【００６７】
コネクタ１０Ａのリーダライタ１４は、ＣＰＵ８０の制御に基づくコネクタコントローラ６０からの制御信号により、常に近接するＩＣチップ１２０ａの固有ＩＤを検知するための連続的な読み取り動作を行っている。電子ペーパー１００Ａがコネクタ１０Ａに挿入されたことで、電子ペーパー１００Ａ内のＩＣチップ１２０ａの固有ＩＤ（所有者のユーザーＩＤとも言える）が管理情報の一部として読み取られ（Ｓ５）、取得した固有ＩＤ（ユーザＩＤ）を、コネクタコントローラ６０を介してＣＰＵ８０に送信する。ＣＰＵ８０は、ユーザーＩＤを検索キーとしてＨＤＤ８５に格納されている管理情報８５ｂを検索し、当該ユーザーがコンテンツ情報を入手する権利を有する者か否かを判断する（Ｓ６）。ユーザーが当該権利を有していない場合は、コネクタ１０Ａの操作ボタン１３を押下しても、なにも変化は起こらず、ステップＳ９以降の処理に進まない。この場合、再度コンテンツ情報の使用が許可されたＩＣチップの固有ＩＤ（ユーザーＩＤ）が読み取られるタイミングを待つ（Ｓ４）。
【００６８】
ステップＳ６において、ユーザーが当該権利を有している場合は、写しとりたい画像上に電子ペーパー１００Ａを配置する。例えば、要約画像２０５を写しとりたい場合は図１７に示すように、詳細画面２１０の一部を写しとりたい場合は図１８に示すように、コネクタ１０Ａに装着した電子ペーパー１００Ａを画面部３に表示された画像のうち写しとりたい箇所に接近させて配置する（Ｓ７）。
【００６９】
次に、ユーザーはコネクタ１０Ａの操作ボタン１３を押下する（Ｓ８）。その押下信号は、ケーブル７およびコントローラユニット６を介してＰＣ８のＣＰＵ８０に送信される。スクリーンコントローラ６３は、第１および第２のスクリーン３１Ａ，３１Ｂを光散乱状態から光透過状態に切り換える（Ｓ９）。
【００７０】
これに続いてＣＰＵ８０は、電圧印加部６１によってコネクタ１０Ａの給電端子１５Ａ，１５Ｂを介して電子ペーパー１００Ａの受電端子１０７Ａ，１０７Ｂにパルス電圧を印加する。これにより、前述したように電子ペーパー１００Ａの画像表示記録領域１１０に画像が書き込まれる。これに並行して、ＣＰＵ８０は、ＩＣチップ１２０ａに記録されている課金情報を更新する更新情報、および電子ペーパー１００Ａに書き込んだ画像の出所源情報、例えば、ＵＲＬ(Uniform Resource Locator)をリーダライタ１４に送信する。リーダライタ１４は、ＩＣチップ１２０ａ内の課金情報を更新するとともに、ＩＣチップ１２０ａにＵＲＬを書き込む（Ｓ９）。
【００７１】
画像の書換えと、管理情報の書換えが終わると、ユーザーはコネクタ１０Ａから電子ペーパー１００Ａを離脱させる（Ｓ１０）。電子ペーパー１００Ａに書き込まれた画像は、無電源でも長期間に渡って表示し続け、ＩＣチップ１２０ａに書き込まれた管理情報は、ユーザー、電子ペーパー１００Ａ、画像等の管理に供される。
【００７２】
尚、特にコンテンツを利用するユーザーに制約を与える必要のない場合では、上述したフローチャートの内、コネクタ１０Ａに挿入した電子ペーパー１００Ａ上の固有ＩＤ（もしくは所有者のユーザーＩＤ）を読み取って、ＰＣ８内部のリストと照合することなく、操作ボタン１３の押下時にＳ９以降の動作に進む場合ももちろん可能である。
【００７３】
（第２の実施の形態の効果）
この第２の実施の形態によれば、以下の効果が得られる。
（イ）操作ボタン１３の１回の操作によって画像の書換えと管理情報の書換えが行われるので、操作が簡便になる。
（ロ）電子ペーパー１００Ａに書き込んだ画像のＵＲＬがＩＣチップ１２０ａに書き込まれるので、第１の画面部３Ａもしくは第２の画面部３Ｂ上に映し出された画面情報が時間経過などで、別の内容に変わっていたり消えていても、画像が写し取られた電子ペーパー１００Ａを、ＵＲＬ読み取り用リーダライタにかざす事で、ＩＣチップ１２０ａに記録されたＵＲＬを読み出し、対応する画像を再度画面上に呼び出すことができる。これにより、一時的に画面上に表示してあった一過性のある情報でも、電子ペーパーを使用することで、時間をおいて情報の共有、活用を促進することができる。
（ハ）表示装置として焦点深度の深いプロジェクタ４を用いているので、電子ペーパー１００Ａを画面に密着させる必要がないため、電子ペーパー１００Ａの傷や汚れを少なくすることができ、使い勝手の良い電子ペーパーシステムを提供することができる。
（ニ）電子ペーパー１００Ａに対し管理情報を非接触で読書きしているので、接続端子の磨耗等の問題がなく、長寿命化が図れる。
（ホ）ＲＦＩＤタグに接近した場所から管理情報を読書きしていたため、送受信の信号にパワーをそれほど必要とせず、また信号にノイズが入ることも少なくなり、管理情報の読書きの信頼性が高くなる。
【００７４】
[第３の実施の形態]
図２０は、本発明の第３の実施の形態に係る電子ペーパーを示す。同図に示す電子ペーパー１００Ａは、光書込み型のものであり、図１２の構成において、液晶層１０３と光導電層１０５の配置を入れ替えると共に、液晶層１０３と光吸収層１０４の間に隔離層１０９を設け、更に光吸収層１０４を透明電極１０２Ａの内側に配設した構成にしたものである。これによれば、上記した電子ペーパー１００Ａと同様の原理で画像の書込みが行われるが、画像光４０が、基板１０１Ｂ、液晶層１０３、および隔離層１０９を通して光導電層１０５に照射され、見る方向が画像光４０の照射方向と同じになる。従って、表面１００ａは、光を透過させる必要がないため、電子ペーパー１００Ａを壁などに貼り付けた配置での表示情報の書き換えが可能になり、広告やデザインの表示面として利用することができる。
【００７５】
［第４の実施の形態］
図２１は、本発明の第４の実施の形態に係る電子ペーパーシステムを示す斜視図である。この電子ペーパーシステムは、表示記録媒体としての自己書込み型の電子ペーパー１００Ｂと、この電子ペーパー１００Ｂに画像情報および画像情報の管理情報を書き込む画像書込装置１とを有して構成されている。
【００７６】
画像書込装置１は、画面部３Ｃを有するスタンド９と、スタンド９の下部に配置されたコントローラユニット６と、自己書込み型の電子ペーパー１００Ｂにケーブル７を介して電源を供給するコネクタ１０Ｂと、コントローラユニット６に接続されたＰＣ８とを有して構成されている。
【００７７】
自己書込み型の電子ペーパー１００Ｂは、メモリ性を有する表示材料を複数のＸ電極と複数のＹ電極によって挟んで画像表示記録領域１１０を構成し、後述するＸドライバーおよびＹドライバーによってパッシブマトリクス駆動するようにしたものであり、管理情報の記録領域に第１の実施の形態と同様にＲＦＩＤタグを設けている。なお、自己書込み型の電子ペーパー１０Ｂは、メモリ性を有する表示材料を全面電極と複数の画素電極で挟んで画像表示記録領域１１０を構成し、ＴＦＴ駆動素子等を用いてアクティブ駆動する構成や、複数の表示エリアに分割されたセグメント電極で駆動するようにしてもよい。
【００７８】
図２２は、この第４の実施の形態に係る電子ペーパーシステムの制御系を示すブロック図である。この電子ペーパーシステムは、ＰＣ８にコントローラユニット６が接続され、コントローラユニット６に画面部３Ｃおよびコネクタ１０Ｂが接続されている。
【００７９】
（コネクタの構成）
コネクタ１０Ｂは、第１の実施の形態のコネクタ１０Ａに対し、ドライバコントローラ１８を付加し、電子ペーパー１００Ｂの入力端子に対応する出力端子を備えたものであり、他は第１の実施の形態と同様に構成されている。ドライバコントローラ１８は、電子ペーパー１０ＢのＸドライバー１２２ａおよびＹドライバー１２２ｂに供給するデータ信号、制御信号、駆動電圧等を生成するものである。なお、コネクタ１０Ｂを小型化するため、ドライバコントローラ１８をコントローラユニット６に設けてもよい。
【００８０】
（画面部の構成）
画面部３Ｃは、透明のタッチパネル３２とＬＣＤ３３を積層して構成され、タッチパネル３２が表面側となるように配置されている。タッチパネル３２は、第１の実施の形態と同様に、抵抗膜方式（感圧方式）のものを用いるが、電磁誘導方式、静電結合方式、超音波表面弾性波方式、赤外線遮光方式等を用いてもよい。また、ＬＣＤ３３に単純マトリックス型ＬＣＤを用い、このＬＣＤにタッチパネルの機能を持たせて静電結合方式により座標を検出してもよい。これにより別途タッチパネルを設ける必要がないため、画面部を薄型化することができる。
【００８１】
（コントローラユニットの構成）
この第４の実施の形態のコントローラユニット６は、コネクタ１０Ｂの操作ボタン１３からの押下信号を受け付けるとともに、リーダライタ１４との間で管理情報を送受信し、ドライバコントローラ１８に必要な制御信号を出力するコネクタコントローラ６０と、タッチパネル３２の座標位置を入力するタッチパネルコントローラ６２と、ＬＣＤ３３の表示制御を行うＬＣＤコントローラ６５とを備える。
【００８２】
（電子ペーパーシステムの動作）
次に、電子ペーパーシステムの動作を図２３のフローチャートに従って説明する。電源を投入すると、画面部３Ｃには、ＰＣ８の制御によって第１の実施の形態と同様の選択画面が表示される（Ｓ２１）。すなわち、この選択画面２００には、中央にチャンネル表示画像２０１を表示し、その周囲にタイトルを表示した電子ペーパー１００Ｂの画像表示記録領域１１０とほぼ等しい大きさを有する８枚のトピックスボタン２０２をマトリックス状に表示し、下側にチャンネル切替キーおよびトピック切替キーを表示している。
【００８３】
ユーザーが選択画面２００のうち一つのトピックスボタン２２０をタッチしてタイトルを選択すると（Ｓ２２）、タッチパネルコントローラ６２は、その座標情報をＣＰＵ８０に送信する。ＣＰＵ８０は、タッチパネルコントローラ６２から送信された座標情報に基づいて選択されたタイトルに対応する要約画像および詳細画面をＨＤＤ８５から読み出し、画面作成プログラム８３ａに基づいてＲＡＭ８４上でトピックスボタン２０２の代りに要約画像を嵌め込んだ画面を作成し、その画像をＬＣＤコントローラ６５によってＬＣＤ３３に表示させる（Ｓ２３）。
【００８４】
ユーザーは、画面部３Ｃに表示された要約画像を電子ペーパー１００Ｂに写しとりたい場合は、電子ペーパー１００Ｂをコネクタ１０Ｂの装着口に装着する（Ｓ２４）。この状態では、コネクタ１０Ｂの出力端子１７は電子ペーパー１００Ｂの入力端子１２１に接触している。
【００８５】
コネクタ１０Ｂのリーダライタ１４は、電子ペーパー１００ＢのＩＣチップ１２０ａからユーザーＩＤを含む管理情報を取得し（Ｓ２５）、ＣＰＵ８０に送信する。ＣＰＵ８０は、ユーザーＩＤを検索キーとしてＨＤＤ８５に格納されている管理情報８５ｂを検索し、当該ユーザーがコンテンツ情報を入手する権利を有する者か否かを判断する（Ｓ２６）。ユーザーが当該権利を有していない場合は、その後の操作ボタン１３の押下（Ｓ２７）を実行しても、ステップＳ２８以降の処理を行わずに、再度Ｓ２４に戻り、コンテンツ情報を有しているユーザーが電子ペーパー１００Ｂをコネクタ１０Ｂに挿入するのを待つ。
【００８６】
ステップ２６において、ユーザーがコンテンツ情報を入手する権利を有していた場合、コネクタ１０Ｂの操作ボタン１３の押下により、（Ｓ２５）。その押下信号は、ケーブル７およびコントローラユニット６を介してＰＣ８のＣＰＵ８０に送信される。
【００８７】
その後、ドライバコントローラ１８は、ＣＰＵ８０の制御の下に、出力端子１７および入力端子１２１を介してＸドライバー１２２ａおよびＹドライバー１２２ｂにデータ信号、制御信号および駆動電圧等を供給する。Ｘドライバー１２２ａおよびＹドライバー１２２ｂは、Ｘ電極およびＹ電極をパッシブ駆動して画像表示記録領域１１０に画像を書き込む。これと並行して、ＣＰＵ８０は、ＩＣチップ１２０ａに記録されている課金情報を更新する更新情報、および電子ペーパー１００Ｂに書き込んだ画像の出所源情報、例えば、ＵＲＬをリーダライタ１４に送信する。リーダライタ１４は、ＩＣチップ１２０ａ内の課金情報を更新するとともに、ＩＣチップ１２０ａにＵＲＬを書き込む（Ｓ２８）。
【００８８】
画像の書換えと、管理情報の書換えが終わると、ユーザーはコネクタ１０Ｂから電子ペーパー１００Ｂを離脱させる（Ｓ２９）。電子ペーパー１００Ａに書き込まれた画像は、無電源でも長期間に渡って表示し続け、ＩＣチップ１２０ａに書き込まれた管理情報は、ユーザー、電子ペーパー１００Ｂ、画像等の管理に供される。
【００８９】
尚、特にコンテンツを利用するユーザーに制約を与える必要のない場合では、上述したフローチャートの内、コネクタ１０Ｂに挿入した電子ペーパー１００Ａ上の固有ＩＤ（もしくは所有者のユーザーＩＤ）を読み取って、ＰＣ８内部のリストと照合することなく、操作ボタン１３の押下時にＳ２８以降の動作に進む場合ももちろん可能である。
【００９０】
図２４は、第４の実施の形態に係る電子ペーパーシステムの利用形態を示す図である。コネクタ１０Ｂは、図２４（ａ）に示すように、電子ペーパー１００Ｂに対して着脱可能であるので、図２４（ｂ）〜（ｄ）に示すように、画像を電子ペーパー１００Ｂの画像表示記録領域に書き込み、これに対応して異なる管理情報ａ〜ｃをＩＣチップに記録してもよい。
【００９１】
（第４の実施の形態の効果）
この第４の実施の形態によれば、以下の効果が得られる。
（イ）操作ボタン１３の１回の操作によって画像の書換えと管理情報の書換えが行われるので、第１の実施の形態と同様に操作が簡便になる。
（ロ）電子ペーパー１００Ｂに書き込んだ画像のＵＲＬがＩＣチップに書込まれるので、電子ペーパー１００Ｂ上の画像が消えても、ＩＣチップに記録されたＵＲＬをリーダライタによって読み出すことで対応する画像を取得することができる。
【００９２】
次に、本発明の第５の実施の形態に係るコネクタについて説明する。この第５の実施の形態のコネクタは、第４の実施の形態において、ＰＣとは独立して外部から画像および管理情報を無線あるいは有線により受信する通信部と、受信した画像情報および管理情報を記憶するメモリと、操作ボタン１３の押下により、メモリが記憶する画像情報に基づいて出力端子１７および入力端子１２１に画像書込み信号を出力し、メモリが記憶する管理情報に基づいてリーダライタ１４により電子ペーパー１００ＢのＩＣチップを書き換えるコントローラと、コネクタ各部および電子ペーパー１００ＢのＸドライバーおよびＹドライバーに電力を供給するバッテリーとを設けたものである。このようにコネクタを画像書込装置と同等の機能を持たせることにより、システムの小型化を図ることができる。
【００９３】
［第６の実施の形態］
図２５は、本発明の第６の実施の形態に係る電子ペーパーシステムを示す斜視図である。この第６の実施の形態は、図２１に示す第４の実施の形態において、スタンド９に第１の画面部３Ｄを支持する水平支持部９０と、第２の画面部３Ｅを支持する垂直支持部９１とを設けたものであり、他は第４の実施の形態と同様に構成されている。
【００９４】
第１および第２の画面部３Ｄ，３Ｅは、第４の実施の形態と同様に、透明のタッチパネルとＬＣＤを積層して構成され、タッチパネルが表面側となるように配置されている。この第６の実施の形態では、第１の画面部３Ｄに選択画面２００を表示し、第２の画面部３Ｅに詳細画面２１０を表示するように構成されている。
【００９５】
この第６の実施の形態によれば、手元の選択画面２００上で選択したコンテンツの詳細が正面の詳細画面２１０に表示されるので、優れた操作性および視認性が得られる。
【００９６】
［第７の実施の形態］
図２６は、本発明の第７の実施の形態に係る電子ペーパーシステムを示す斜視図である。この第７の実施の形態は、第６の実施の形態において、第１の画面部３Ｄを垂直支持部９１に設け、第２の画面部３Ｅを水平支持部９０に設けたものであり、他は第６の実施の形態と同様に構成されている。この構成によれば、正面の選択画面２００上で選択したコンテンツの詳細が手元の詳細画面２１０に表示されるので、詳細画面２１０から必要な画像を電子ペーパー１００Ｂに写しとり易くなる。
【００９７】
［他の実施の形態］
なお、本発明は、上記各実施の形態に限定されず、その要旨を変更しない範囲内で種々な変形が可能である。例えば、各実施の形態間の構成要素の組合せは任意に行うことができる。
【００９８】
また、管理情報として、様々な情報を書き込むことにより、上述したシステムに限らず、様々なシステムに応用することができる。
【００９９】
また、上記実施の形態では、コネクタから表示記録媒体への画像書込み信号をコネクタ側の端子と媒体側の端子とを接触させて送信したが、光学的、磁気的又は熱的に接続して非接触で行ってもよい。
【０１００】
また、メモリ性を有する表示記録媒体として、上記の他に、ロイコ染料を用いた感熱記録媒体や、強誘電液晶に代表されるメモリ性を有する液晶や、帯電した粒子を液中で移動させて表示を切り替える電気泳動方式、帯電した粒子を空気中で移動させて表示を切り替えるトナーディスプレイ方式、帯電した粒子を回転させて表示を切り替える粒子回転方式、磁気により粒子を移動させて表示を切り替える磁気泳動方式等の他の表示記録媒体を用いてもよい。
【０１０１】
また、第１の実施の形態では、表示装置としてプロジェクタを用いたが、プロジェクタの代わりに、ＣＲＴディスプレイ、プラズマディスプレイ等の表示装置と結像光学系を組み合わせた投影装置により、表示装置からの画像光を電子ペーパーの画像表示記録領域に結像させてもよい。
【０１０２】
また、表示装置として、プロジェクタの代りに、ＬＣＤ（液晶ディスプレイ）、ＥＬＤ（エレクトロルミネッセンスディスプレイ）、ＰＤＰ（プラズマディスプレイ）、ＶＦＤ（蛍光表示管ディスプレイ）、ＬＥＤ（発光ダイオード）ディスプレイ、ＦＥＤ（電界放出ディスプレイ）等のフラットディスプレイや、ＣＲＴディスプレイを用い、画像表示面に電子ペーパーを密着させてもよい。
【０１０３】
また、画像を書き込む手段と同一の手段によって管理情報を表示記録媒体に書き込んでもよい。例えば、画像表示記録領域１１０に管理情報を書き込むことが考えられる。これにより、リーダライタ等の管理情報の読書き専用のデバイスが不要になり、構成の簡素化を図ることができる。
【０１０４】
また、管理情報が書き込まれるメモリカードを電子ペーパーに着脱可能に設け、その管理情報が書き込まれたメモリカードをＰＣ等の外部装置のスロットに挿入してメモリカードから管理情報を読み出しもよい。これにより、管理情報の利用性が高くなる。
【図面の簡単な説明】
【０１０５】
【図１】本発明の第１の実施の形態に係る閲覧システムを示す斜視図である。
【図２】本発明の第１の実施の形態に係る配信サイトデータの一例を示す図である。
【図３】本発明の第１の実施の形態に係る表示画面の表示例を示す図である。
【図４】本発明の第１の実施の形態に係る電子文書表示装置内の受信チャンネル設定テーブルを示す図である。
【図５】本発明の第１の実施の形態に係る電子文書表示装置内の本文表示履歴テーブルを示す図である。
【図６】本発明の第１の実施の形態に係る電子文書表示装置内のチャンネルテーブルを示す図である。
【図７】本発明の第１の実施の形態に係る電子文書表示装置内の文書テーブルを示す図である。
【図８】本発明の第１の実施の形態に係る電子文書表示装置側の表示処理を示すフローチャートである。
【図９】本発明の第１の実施の形態に係る電子文書表示装置の利用者の操作点順を示すフローチャートである。
【図１０】本発明の第２の実施の形態に係る電子ペーパーシステムを示す斜視図である。
【図１１】本発明の第２の実施の形態に係る光書込み型の電子ペーパーの平面図である。
【図１２】図１１のＡ−Ａ線断面図である。
【図１３】本発明の第２の実施の形態に係るコネクタを示し、（ａ）は平面図、（ｂ）は（ａ）のＢ−Ｂ線断面図である。
【図１４】本発明の第２の実施の形態に係る電子ペーパーシステムの制御系を示すブロック図である。
【図１５】本発明の第２の実施の形態に係る画面部の表示例を示す平面図である。
【図１６】本発明の第２の実施の形態に係る画面部の表示例を示す平面図である。
【図１７】本発明の第２の実施の形態に係る画面部の表示例を示す平面図である。
【図１８】本発明の第２の実施の形態に係る画面部の表示例を示す平面図である。
【図１９】本発明の第２の実施の形態に係る電子ペーパーシステムの動作を示すフローチャートである。
【図２０】本発明の第３の実施の形態に係る電子ペーパーを示す断面図である。
【図２１】本発明の第４の実施の形態に係る電子ペーパーシステムの制御系を示す斜視図である。
【図２２】本発明の第４の実施の形態に係る電子ペーパーシステムの制御系を示すブロック図である。
【図２３】本発明の第４の実施の形態に係る電子ペーパーシステムの動作を示すフローチャートである。
【図２４】（ａ）〜（ｄ）は、本発明の第４の実施の形態に係る電子ペーパーシステムの利用形態を示す平面図である。
【図２５】本発明の第６の実施の形態に係る電子ペーパーシステムの斜視図である。
【図２６】本発明の第７の実施の形態に係る電子ペーパーシステムの斜視図である。
【図２７】従来の２ペイン構造による表示画面を示す図である。
【図２８】従来の３ペイン構造による表示画面を示す図である。
【符号の説明】
【０１０６】
１  画像書込装置
２Ａ  第１の筐体
２Ｂ  第２の筐体
３Ａ，３Ｄ  第１の画面部
３Ｂ，３Ｅ  第２の画面部
３Ｃ  画面部
４Ａ  第１のプロジェクタ
４Ｂ  第２のプロジェクタ
５Ａ，５Ｂ  ミラー
６  コントローラユニット
７  ケーブル
９  スタンド
１０Ａ，１０Ｂ  コネクタ
１１  ケース
１２  装着口
１２ａ，１２ｂ  当接面
１３  操作ボタン
１３ａ  ＬＥＤランプ
１４  リーダライタ
１５Ａ，１５Ｂ  給電端子
１７  出力端子
１８  ドライバコントローラ
１９  リミットスイッチ
２０  電子文書配信サーバ
２１  ネットワーク
３０Ａ  第１のタッチパネル
３０Ｂ  第２のタッチパネル
３１Ａ  第１のスクリーン
３１Ｂ  第２のスクリーン
３２  タッチパネル
３Ｃ  画面部
４０  画像光
５０  電子文書表示装置
５１  通信部
５２  制御部
５３  表示部
５４  入力部
５３ａ  選択画面
５３ｂ  詳細画面
５５  記憶部
５５ａ  受信チャンネル設定テーブル
５５ｂ  本文表示履歴テーブル
５５ｃ  チャンネルテーブル
５５ｄ  文書テーブル
５６ａ  文書タイトル表示領域（タイトルカード）
５６ｂ  チャンネルタイトル表示領域（チャンネルカード）
５７ａ  チャンネル切替ボタン
５７ｂ  次のタイトルへボタン
５７ｃ  前へボタン
５８ａ  本文表示領域
５８ｂ  タイトル
５８ｃ  テキスト
５８ｄ  画像
６０  コネクタコントローラ
６１  電圧印加部
６２  タッチパネルコントローラ
６３  スクリーンコントローラ
６５  ＬＣＤコントローラ
８０  ＣＰＵ
８１  入力部
８２  表示部
８３  ＲＯＭ
８３ａ  画面作成プログラム
８４  ＲＡＭ
８５  ＨＤＤ
８５ａ  画像
８５ｂ  管理情報
８６  通信部
９０  水平支持部
９１  垂直支持部
１００Ａ，１００Ｂ  型電子ペーパー
１００ａ  表面
１００ｂ  裏面
１０１Ａ，１０１Ｂ  基板
１０２Ａ，１０２Ｂ  透明電極
１０３  液晶層
１０４  光吸収層
１０５  光導電層
１０５ａ，１０５ｃ  電荷発生層
１０５ｂ  電荷輸送層
１０６  延在部
１０７Ａ，１０７Ｂ  受電端子
１０８ａ，１０８ｂ  開口
１０９  隔離層
１１０  画像表示記録領域
１１１  周辺領域
１２０  ＲＦＩＤタグ
１２０ａ  ＩＣチップ
１２１  入力端子
１２２ａ  Ｘドライバー
１２２ｂ  Ｙドライバー
２００  選択画面
２０１  チャンネル表示画像
２０２ａ  トピック画像
２０２  トピックスボタン
２０３  チャンネル切替キー
２０４  トピック切替キー
２０５  要約画像
２１０  詳細画面
２１１  イメージ
２１２  テキスト
２１３  進むキー
２１４  戻るキー
５００  表示画面
５１０  チャンネル・タイトル表示領域
５１１  チャンネル
５１２  タイトル
５２０  コンテンツ表示領域
５２１  テキスト
５２２  画像
５３０  チャンネル表示領域
５４０  タイトル表示領域
【図１】
2006004256.tif 000003
【図２】
2006004256.tif 000004
【図３】
2006004256.tif 000005
【図４】
2006004256.tif 000006
【図５】
2006004256.tif 000007
【図６】
2006004256.tif 000008
【図７】
2006004256.tif 000009
【図８】
2006004256.tif 000010
【図９】
2006004256.tif 000011
【図１０】
2006004256.tif 000012
【図１１】
2006004256.tif 000013
【図１２】
2006004256.tif 000014
【図１３】
2006004256.tif 000015
【図１４】
2006004256.tif 000016
【図１５】
2006004256.tif 000017
【図１６】
2006004256.tif 000018
【図１７】
2006004256.tif 000019
【図１８】
2006004256.tif 000020
【図１９】
2006004256.tif 000021
【図２０】
2006004256.tif 000022
【図２１】
2006004256.tif 000023
【図２２】
2006004256.tif 000024
【図２３】
2006004256.tif 000025
【図２４】
2006004256.tif 000026
【図２５】
2006004256.tif 000027
【図２６】
2006004256.tif 000028
【図２７】
2006004256.tif 000029
【図２８】
2006004256.tif 000030